(57)【要約】【課題】高画質のカメラ映像を伝送でき、障害時に容易に復旧でき、カメラ映像の監視を継続できる映像伝送システムを提供する。【解決手段】実施形態の映像伝送システムは映像切換器及び監視制御装置を備えている。前記監視制御装置は、定期的にエコー要求を送信し、所定時間以内にエコー応答を受信したか否かを判定する。前記監視制御装置は、前記判定の結果、前記エコー応答を受信した場合、前記第１制御信号を前記映像切換器に送出する。前記映像切換器は、第１制御信号を受けると、前記光伝送用の第１映像信号を通過させて前記モニタ装置に出力する。前記監視制御装置は、前記判定の結果、否の場合、前記第２制御信号を前記映像切換器に送出する。前記映像切換器は、第２制御信号を受けると、前記無線伝送用の低画質映像信号を通過させて前記モニタ装置に出力する。【選択図】図６
2013225810.tif 000002
【特許請求の範囲】
【請求項１】
カメラ装置から出力された映像信号を伝送してモニタ装置に表示する映像伝送システムであって、
前記映像信号を分配して第１映像信号及び第２映像信号を送出する映像分配器と、
前記第１映像信号を符号化し、得られた符号化映像信号である電気信号を送出する光伝送用の映像符号化装置と、
前記光伝送用の映像符号化装置から送出された電気信号を光信号に変換し、当該光信号を光ファイバケーブルに送出する前段の光伝送装置と、
前記光ファイバケーブルにより伝送された光信号を電気信号に変換し、当該電気信号を送出する後段の光伝送装置と、
前記後段の光伝送装置から送出された電気信号である符号化映像信号を復号化し、得られた第１映像信号を出力する光伝送用の映像復号化装置と、
前記第２映像信号を間引いて画質を下げた低画質映像信号を符号化し、得られた符号化低画質映像信号を送出する無線伝送用の映像符号化装置と、
前記符号化低画質映像信号を無線により送信する前段の無線伝送装置と、
前記送信された符号化低画質映像信号を受信する後段の無線伝送装置と、
前記受信された符号化低画質映像信号を復号化し、得られた低画質映像信号を出力する無線伝送用の映像復号化装置と、
前記光伝送用の映像復号化装置から出力された第１映像信号を通過させるように制御する第１制御信号を受けると、当該第１映像信号を通過させて前記モニタ装置に出力し、前記無線伝送用の映像復号化装置から出力された低画質映像信号を通過させるように制御する第２制御信号を受けると、当該低画質映像信号を通過させて前記モニタ装置に出力する映像切換器と、
定期的にエコー要求を送信する監視制御装置と
を備え、
前記後段の光伝送装置は、前記送信されたエコー要求を光信号であるエコー要求光信号に変換し、当該エコー要求光信号を前記光ファイバケーブルに送出する手段を更に備え、
前記前段の光伝送装置は、前記光ファイバケーブルにより伝送されたエコー要求光信号を電気信号であるエコー要求に変換し、当該エコー要求を送出する手段を更に備え、
前記光伝送用の映像符号化装置は、前記送出されたエコー要求を受けると、エコー応答である電気信号を前記前段の光伝送装置に送出する手段を更に備え、
前記監視制御装置は、
前記エコー要求を送信してから所定時間以内に前記後段の光伝送装置から電気信号であるエコー応答を受信したか否かを判定する判定手段と、
前記判定の結果、前記エコー応答を受信した場合、前記第１制御信号を前記映像切換器に送出する手段と、
前記判定の結果、否の場合、前記第２制御信号を前記映像切換器に送出する手段と
を更に備えたことを特徴とする映像伝送システム。
【請求項２】
請求項１に記載の映像伝送システムにおいて、
前記監視制御装置は、前記第２制御信号が前記映像切換器に送出されると、前記光伝送用の映像符号化装置及び前記前段の光伝送装置の電源をオフ状態にする電源オフ信号を送信する手段を更に備え、
前記後段の無線伝送装置は、前記監視制御装置から電源オフ信号を受けると、当該電源オフ信号を無線により前記前段の無線伝送装置に送信する手段を更に備え、
前記前段の無線伝送装置は、前記後段の無線伝送装置から電源オフ信号を受信すると、当該電源オフ信号を送出する手段を更に備え、
前記前段の無線伝送装置から電源オフ信号を受けると、前記光伝送用の映像符号化装置及び前記前段の光伝送装置の電源をオフ状態に制御する電源制御装置を更に備えたことを特徴とする映像伝送システム。
【請求項３】
請求項２に記載の映像伝送システムにおいて、
前記監視制御装置は、
前記光ファイバケーブルの復旧を示す復旧情報の入力を受け付ける手段と、
前記復旧情報の入力が受け付けられると、前記第１制御信号を前記映像切換器に送出する手段と、
前記復旧情報の入力が受け付けられると、前記光伝送用の映像符号化装置及び前記前段の光伝送装置の電源をオン状態にする電源オン信号を送信する手段と
を更に備え、
前記後段の無線伝送装置は、前記監視制御装置から電源オン信号を受けると、当該電源オン信号を無線により前記前段の無線伝送装置に送信する手段を更に備え、
前記前段の無線伝送装置は、前記後段の無線伝送装置から電源オン信号を受信すると、当該電源オン信号を前記電源制御装置に送出する手段を更に備え、
前記電源制御装置は、前記前段の無線伝送装置から電源オン信号を受けると、前記光伝送用の映像符号化装置及び前記前段の光伝送装置の電源をオン状態に制御する手段を更に備えたことを特徴とする映像伝送システム。
【発明の詳細な説明】
【技術分野】
【０００１】
本発明の実施形態は、映像伝送システムに関する。
【背景技術】
【０００２】
映像を伝送する方式として、光伝送方式及び無線伝送方式が知られている。
【０００３】
光伝送方式は、図９に示すように、カメラ１、映像符号化装置２、前段の光伝送装置３、光ファイバケーブル４、後段の光伝送装置５、映像復号化装置６及びモニタ装置７を備えたＣＣＴＶ（Closed Circuit Television）システムで一般的に利用されている。
【０００４】
光伝送方式は、正常時には光ファイバケーブル４を介して高画質のカメラ映像を伝送できる。但し、光伝送方式は、光ファイバケーブル４が災害などにより障害を受けた障害時には断状態となり、復旧までに長い時間を要する。
【０００５】
一方、無線伝送方式は、図１０に示すように、カメラ１１、映像符号化装置１２、前段の無線伝送装置１３、後段の無線伝送装置１４、映像復号化装置１５及びモニタ装置１６を備えたシステムで一般的に利用されている。
【０００６】
無線伝送方式は、伝送容量の制約や他設備との回線を共有することから、一般的に映像伝送に使用できる伝送容量が少ない。このため、無線伝送方式は、正常時には、映像符号化装置１２及び映像復号化装置１５により、画質や動きを落とした映像（低画質映像）をモニタ装置１６に伝送している。
【０００７】
無線伝送方式は、損傷を受けた障害時には無線伝送装置１３などの各拠点で復旧対応できるので、光ファイバケーブル４の復旧に比べ、復旧が容易である。
【先行技術文献】
【特許文献】
【０００８】
【特許文献１】特開２００９−２９０７０１号公報
【発明の概要】
【発明が解決しようとする課題】
【０００９】
以上説明したように光伝送方式は、正常時には高画質のカメラ映像を伝送できるものの、障害時には復旧に長時間を要する不都合がある。また、無線伝送方式は、障害時には復旧が容易なものの、正常時には画質が低い不都合がある。
【００１０】
ここで、本発明者の検討によれば、高画質のカメラ映像を伝送でき、障害時に容易に復旧できる方式により、カメラ映像の監視を継続することが望ましい。
【００１１】
本発明が解決しようとする課題は、高画質のカメラ映像を伝送でき、障害時に容易に復旧でき、カメラ映像の監視を継続し得る映像伝送システムを提供することである。
【課題を解決するための手段】
【００１２】
実施形態の映像伝送システムは、カメラ装置から出力された映像信号を伝送してモニタ装置に表示する。
【００１３】
前記映像伝送システムは、映像分配器、光伝送用の映像符号化装置、前段の光伝送装置、後段の光伝送装置、光伝送用の映像復号化装置、無線伝送用の映像符号化装置、前段の無線伝送装置、後段の無線伝送装置、無線伝送用の映像復号化装置、映像切換器、監視制御装置を備えている。
【００１４】
前記映像分配器は、前記映像信号を分配して第１映像信号及び第２映像信号を送出する。
【００１５】
前記光伝送用の映像符号化装置は、前記第１映像信号を符号化し、得られた符号化映像信号である電気信号を送出する。
【００１６】
前記前段の光伝送装置は、前記光伝送用の映像符号化装置から送出された電気信号を光信号に変換し、当該光信号を光ファイバケーブルに送出する。
【００１７】
前記後段の光伝送装置は、前記光ファイバケーブルにより伝送された光信号を電気信号に変換し、当該電気信号を送出する。
【００１８】
前記光伝送用の映像復号化装置は、前記後段の光伝送装置から送出された電気信号である符号化映像信号を復号化し、得られた第１映像信号を出力する。
【００１９】
前記無線伝送用の映像符号化装置は、前記第２映像信号を間引いて画質を下げた低画質映像信号を符号化し、得られた符号化低画質映像信号を送出する。
【００２０】
前記前段の無線伝送装置は、前記符号化低画質映像信号を無線により送信する。
【００２１】
前記後段の無線伝送装置は、前記送信された符号化低画質映像信号を受信する。
【００２２】
前記無線伝送用の映像復号化装置は、前記受信された符号化低画質映像信号を復号化し、得られた低画質映像信号を出力する。
【００２３】
前記映像切換器は、前記光伝送用の映像復号化装置から出力された第１映像信号を通過させるように制御する第１制御信号を受けると、当該第１映像信号を通過させて前記モニタ装置に出力する。前記映像切換器は、前記無線伝送用の映像復号化装置から出力された低画質映像信号を通過させるように制御する第２制御信号を受けると、当該低画質映像信号を通過させて前記モニタ装置に出力する。
【００２４】
前記監視制御装置は、定期的にエコー要求を送信する。
【００２５】
前記後段の光伝送装置は、前記送信されたエコー要求を光信号であるエコー要求光信号に変換し、当該エコー要求光信号を前記光ファイバケーブルに送出する。
【００２６】
前記前段の光伝送装置は、前記光ファイバケーブルにより伝送されたエコー要求光信号を電気信号であるエコー要求に変換し、当該エコー要求を送出する。
【００２７】
前記光伝送用の映像符号化装置は、前記送出されたエコー要求を受けると、エコー応答である電気信号を前記前段の光伝送装置に送出する。
【００２８】
前記監視制御装置は、前記エコー要求を送信してから所定時間以内に前記後段の光伝送装置から電気信号であるエコー応答を受信したか否かを判定する。
【００２９】
前記監視制御装置は、前記判定の結果、前記エコー応答を受信した場合、前記第１制御信号を前記映像切換器に送出する。
【００３０】
前記監視制御装置は、前記判定の結果、否の場合、前記第２制御信号を前記映像切換器に送出する。
【図面の簡単な説明】
【００３１】
【図１】一実施形態に係る映像伝送システム及びその周辺構成を示す模式図である。
【図２】同実施形態における光伝送用の映像符号化装置の構成を示す模式図である。
【図３】同実施形態における前段の光伝送装置の構成を示す模式図である。
【図４】同実施形態における監視制御装置の構成を示す模式図である。
【図５】同実施形態における動作を説明するためのフローチャートである。
【図６】同実施形態における通常時の光伝送の状態を示す模式図である。
【図７】同実施形態における光伝送で障害が発生した状態を示す模式図である。
【図８】同実施形態における光伝送での障害が復旧した状態を示す模式図である。
【図９】一般的な光伝送方式を説明するための模式図である。
【図１０】一般的な無線伝送方式を説明するための模式図である。
【発明を実施するための形態】
【００３２】
以下、一実施形態について図面を用いて説明する。
【００３３】
図１は一実施形態に係る映像伝送システム及びその周辺構成を示す模式図である。映像伝送システムは、カメラ装置２１から出力された映像信号を伝送してモニタ装置３０に表示するシステムである。
【００３４】
具体的には、映像伝送システムは、映像分配器２２、光伝送用の映像符号化装置２３、前段の光伝送装置２４、後段の光伝送装置２６、光伝送用の映像復号化装置２８、映像切換器２９、無線伝送用の映像符号化装置３１、前段の無線伝送装置３２、後段の無線伝送装置３３、無線伝送用の映像復号化装置３４、電源制御装置３５及び監視制御装置４０を備えている。但し、電源制御装置３５は、任意の付加的事項であり、省略してもよい。また、監視制御装置４０は、ＬＡＮスイッチ２７を介して後段の光伝送装置２６及び後段の無線伝送装置３３に接続されている。
【００３５】
ここで、映像分配器２２は、カメラ装置２１から出力された映像信号を分配して第１映像信号及び第２映像信号を送出する装置である。第１映像信号及び第２映像信号は、カメラ装置２１から出力された映像信号と同一の映像信号である。第１映像信号は、光伝送用の映像符号化装置２３に送出される。第２映像信号は、無線伝送用の映像符号化装置３１に送出される。
【００３６】
光伝送用の映像符号化装置２３は、図２に示すように、符号化処理部２３ａ、インターフェース部２３ｂ及び電源制御部２３ｃを備えている。但し、電源制御部２３ｃは、任意の付加的事項であり、省略してもよい。
【００３７】
符号化処理部２３ａは、映像分配器２２から送出された第１映像信号を符号化し、得られた符号化映像信号である電気信号をインターフェース部２３ｂを介して前段の光伝送装置２４に送出する機能をもっている。
【００３８】
インターフェース部２３ｂは、映像符号化装置２３内と外部の光伝送装置２４との間のインターフェースであり、前段の光伝送装置２４から送出されたエコー要求を受けると、エコー応答である電気信号を当該前段の光伝送装置２４に送出する機能を更に備えている。
【００３９】
電源制御部２３ｃは、電源制御装置３５から制御され、映像符号化装置２３の電源（図示せず）をオン状態又はオフ状態に制御する機能をもっている。
【００４０】
前段の光伝送装置２４は、図３に示すように、光伝送処理部２４ａ及び電源制御部２４ｂを備えている。但し、電源制御部２４ｂは、任意の付加的事項であり、省略してもよい。
【００４１】
光伝送処理部２４ａは、電気／光変換機能及び光／電気変換機能をもっている。
【００４２】
光伝送処理部２４ａの電気／光変換機能は、光伝送用の映像符号化装置２３から送出された電気信号を光信号に変換し、当該光信号を光ファイバケーブル２５に送出する機能である。光伝送用の映像符号化装置２３から送出される電気信号としては、例えば、符号化映像信号である電気信号及びエコー応答である電気信号がある。
【００４３】
光伝送処理部２４ａの光／電気変換機能は、伝送された光信号を電気信号に変換して送出する機能であり、例えば、光ファイバケーブル２５により伝送されたエコー要求光信号を電気信号であるエコー要求に変換し、当該エコー要求を送出する機能である。
【００４４】
後段の光伝送装置２６は、光ファイバケーブル２５により伝送された光信号を電気信号に変換し、当該電気信号を送出する装置である。また、後段の光伝送装置２６は、監視制御装置４０から送信されたエコー要求を光信号であるエコー要求光信号に変換し、当該エコー要求光信号を光ファイバケーブル２５に送出する機能を更に備えている。
【００４５】
光伝送用の映像復号化装置２８は、後段の光伝送装置２６から送出された電気信号である符号化映像信号を復号化し、得られた第１映像信号を出力する装置である。
【００４６】
映像切換器２９は、光伝送用の映像復号化装置２８から出力された第１映像信号を通過させるように制御する第１制御信号を受けると、当該第１映像信号を通過させてモニタ装置３０に出力する装置である。また、映像切換器２９は、無線伝送用の映像復号化装置３４から出力された低画質映像信号を通過させるように制御する第２制御信号を受けると、当該低画質映像信号を通過させてモニタ装置３０に出力する装置である。
【００４７】
無線伝送用の映像符号化装置３１は、映像分配器２２から送出された第２映像信号を間引いて画質を下げた低画質映像信号を符号化し、得られた符号化低画質映像信号を送出する装置である。ここで、低画質映像信号は、第２映像信号が示す映像から画質や動きを落とした映像（低画質映像）を示す映像信号である。
【００４８】
前段の無線伝送装置３２は、無線伝送用の映像符号化装置３１から送出された符号化低画質映像信号を無線により送信する装置である。また、前段の無線伝送装置３２は、後段の無線伝送装置３３から電源オフ信号（又は電源オン信号）を受信すると、当該電源オフ信号（又は電源オン信号）を電源制御装置３５に送出する機能をもっている。
【００４９】
後段の無線伝送装置３３は、前段の無線伝送装置３２から送信された符号化低画質映像信号を受信する装置である。また、後段の無線伝送装置３３は、監視制御装置４０からＬＡＮスイッチ２７を介して電源オフ信号（又は電源オン信号）を受けると、当該電源オフ信号（又は電源オン信号）を無線により前段の無線伝送装置３２に送信する機能をもっている。
【００５０】
無線伝送用の映像復号化装置３４は、後段の無線伝送装置３３により受信された符号化低画質映像信号を復号化し、得られた低画質映像信号を出力する装置である。
【００５１】
電源制御装置３５は、前段の無線伝送装置３２から電源オフ信号（又は電源オン信号）を受けると、光伝送用の映像符号化装置２３及び前段の光伝送装置２４の電源をオフ状態（又はオン状態）に制御する機能をもっている。
【００５２】
監視制御装置４０は、図４に示すように、インタフェース部４１、ピング処理部４２、映像切換制御部４３、電源制御部４４及び入出力部４５を備えている。
【００５３】
インタフェース部４１は、監視制御装置４１内と外部のＬＡＮスイッチ２７との間のインターフェースであり、各部４２〜４５とバスを介して接続されている。
【００５４】
ピング処理部４２は、定期的にエコー要求を送信する機能と、エコー要求を送信してから所定時間以内に後段の光伝送装置２６から電気信号であるエコー応答を受信したか否かを判定する判定機能とをもっている。
【００５５】
映像切換制御部４３は、ピング処理部４２による判定の結果、エコー応答を受信した場合、第１制御信号を映像切換器２９に送出する機能と、ピング処理部４２による判定の結果、否の場合、第２制御信号を映像切換器２９に送出する機能とをもっている。
【００５６】
電源制御部４４は、映像切換制御部４３により第２制御信号が映像切換器２９に送出されると、光伝送用の映像符号化装置２３及び前段の光伝送装置２４の電源をオフ状態にする電源オフ信号を送信する機能をもっている。また、電源制御部４４は、入出力部４５により復旧情報の入力が受け付けられると、光伝送用の映像符号化装置２３及び前段の光伝送装置２４の電源をオン状態にする電源オン信号を送信する機能をもっている。
【００５７】
入出力部４５は、監視制御装置４０内と操作者との間のインターフェースであり、例えば、光ファイバケーブル２５の復旧を示す復旧情報の入力を受け付ける機能をもっている。
【００５８】
次に、以上のように構成された映像伝送システムの動作について図５のフローチャート及び図６〜図８の模式図を用いて説明する。
【００５９】
図６は、通常時の光伝送によるカメラ映像監視を実施している状態を示している。
【００６０】
始めに、カメラ装置２１は、撮影した映像（カメラ映像）を示す映像信号を映像分配器２２に出力する。映像信号は、映像分配器２２で光伝送用及び無線伝送用の第１及び第２映像信号に分配される（ＳＴ１）。
【００６１】
分配された第１映像信号は、光伝送用の映像符号化装置２３に送出される。光伝送用の映像符号化装置２３では、符号化処理部２３ａが、第１映像信号を符号化し、得られた符号化映像信号である電気信号をインターフェース部２３ｂを介して前段の光伝送装置２４に送出する。前段の光伝送装置２４では、光伝送処理部２４ａが、光伝送用の映像符号化装置２３から送出された電気信号を光信号に変換し、当該光信号を光ファイバケーブル２５に送出する。光ファイバケーブル２５は、この光信号を後段の光伝送装置２５に伝送する。後段の光伝送装置２６は、伝送された光信号を電気信号に変換し、当該電気信号を送出する。光伝送用の映像復号化装置２８は、送出された電気信号である符号化映像信号を復号化し、得られた第１映像信号を映像切換器２９に送出する。
【００６２】
また、分配された第２映像信号は、無線伝送用の映像符号化装置３１に送出される。無線伝送用の映像符号化装置３１は、第２映像信号を低画質化及び符号化して符号化低画質映像信号を前段の無線伝送装置３２に送出する。符号化低画質映像信号は、無線伝送装置３２，３３を介して、無線伝送用の映像復号化装置３４まで無線伝送される（ＳＴ２）。無線伝送用の映像復号化装置３４は、伝送された符号化低画質映像信号を復号化し、得られた低画質映像信号を映像切換器２９に送出する。
【００６３】
一方、監視制御装置４０のピング処理部４２は、定期的に光伝送用の映像符号化装置２３に向けて、エコー要求（ピング：Ping）を送信する（ＳＴ３）。
【００６４】
後段の光伝送装置２６は、送信されたエコー要求を光信号であるエコー要求光信号に変換し、当該エコー要求光信号を光ファイバケーブル２５に送出する。光ファイバケーブル２５は、この光信号を前段の光伝送装置２４に伝送する。前段の光伝送装置２４では、光伝送処理部２４ａが、伝送されたエコー要求光信号を電気信号であるエコー要求に変換し、当該エコー要求を光伝送用の映像符号化装置２３に送出する。光伝送用の映像符号化装置２３では、インターフェース部２３ｂが、前段の光伝送装置２４から送出されたエコー要求を受けると、エコー応答である電気信号を当該前段の光伝送装置２４に送出する。
【００６５】
前段の光伝送装置２４では、光伝送処理部２４ａが、送出された電気信号（エコー応答）を光信号に変換し、当該光信号を光ファイバケーブル２５に送出する。光ファイバケーブル２５は、この光信号を後段の光伝送装置２５に伝送する。後段の光伝送装置２６は、伝送された光信号を電気信号（エコー応答）に変換し、当該電気信号を監視制御装置４０に送信する。
【００６６】
監視制御装置４０では、ピング処理部４２が、エコー要求を送信してから所定時間以内にエコー応答を受信したか否かを判定する（ＳＴ４）。監視制御装置４０の映像切替制御部４３は、ピング処理部による判定の結果、エコー応答を受信した場合には光伝送を正常と判定して（ＳＴ５）、光伝送用の映像復号化装置２８から出力された第１映像信号を選択的に通過させるように制御する第１制御信号を映像切換器２９に送出する（ＳＴ６）。
【００６７】
映像切換器２９は、第１制御信号を受けると、光伝送用の映像復号化装置２８から出力された第１映像信号を通過させてモニタ装置３０に出力する。
【００６８】
モニタ装置３０は、光伝送を経由した第１映像信号を受信し、第１映像信号が示すカメラ映像をモニタ出力する（ＳＴ７）。
【００６９】
一方、図７は、光伝送で障害が発生した状態を示している。
【００７０】
例えば、光伝送用の映像符号化装置２３から光伝送装置２４，２６を介した光伝送は、光ファイバケーブルの障害により、しゃ断状態となる。
【００７１】
監視制御装置４０は、光伝送用の映像符号化装置２３に向けてエコー要求を送信しているが、光伝送のしゃ断状態により、ステップＳＴ４の判定結果が否となる（ＳＴ４；ＮＯ）。監視制御装置４０の映像切換制御部４３は、光伝送を異常と判定して（ＳＴ８）、無線伝送用の映像復号化装置３４から出力された低画質映像信号を選択的に通過させるように制御する第２制御信号を映像切換器２９に送出する（ＳＴ９）。
【００７２】
映像切換器２９は、第２制御信号を受けると、無線伝送用の映像復号化装置３４から出力された低画質映像信号を通過させてモニタ装置３０に出力する。
【００７３】
モニタ装置３０は、無線伝送を経由した低画質映像信号を受信し、低画質映像信号が示すカメラ映像をモニタ出力する（ＳＴ１０）。
【００７４】
監視制御装置４０では、第２制御信号を映像切換器２９に送出すると、電源制御部４４が、光伝送用の映像符号化装置２３及び前段の光伝送装置２４の電源をオフ状態にする電源オフ信号を送信する。
【００７５】
後段の無線伝送装置３３は、監視制御装置４０からＬＡＮスイッチ２７を介して電源オフ信号を受けると、当該電源オフ信号を無線により前段の無線伝送装置３２に送信する。
【００７６】
前段の無線伝送装置３２は、後段の無線伝送装置３３から電源オフ信号を受信すると、当該電源オフ信号を電源制御装置３５に送出する。
【００７７】
電源制御装置３５は、電源オフ信号を受けると、光伝送用の映像符号化装置２３及び前段の光伝送装置２４といったカメラ側の光伝送機器の電源を、電源制御部２３ｃ，２４ｂを介してオフ状態に制御する（ＳＴ１１）。これにより、カメラ側の光伝送機器の省電力化が図られる。
【００７８】
図８は、光伝送での障害が復旧した状態を示している。
【００７９】
通常時と同様に、カメラ装置２１から出力された映像信号は、映像分配器２２で光伝送用及び無線伝送用の第１及び第２映像信号に分配され（ＳＴ１）、各映像信号がそれぞれ光伝送用の映像符号化装置２３及び無線伝送用の映像符号化装置３１に送出される。
【００８０】
監視制御装置４０では、操作者による入力操作により、入出力部４５が、光ファイバケーブル２５の復旧情報の入力を受け付ける（ＳＴ１２；Ｙｅｓ）。
【００８１】
監視制御装置４０は、復旧情報の入力を受け付けると、電源制御部４４が、光伝送用の映像符号化装置２３及び前段の光伝送装置２４の電源をオン状態にする電源オン信号を送信する。
【００８２】
後段の無線伝送装置３３は、監視制御装置４０からＬＡＮスイッチ２７を介して電源オン信号を受けると、当該電源オン信号を無線により前段の無線伝送装置３２に送信する。
【００８３】
前段の無線伝送装置３２は、後段の無線伝送装置３３から電源オン信号を受信すると、当該電源オン信号を電源制御装置３５に送出する。
【００８４】
電源制御装置３５は、電源オン信号を受けると、光伝送用の映像符号化装置２３及び前段の光伝送装置２４といったカメラ側の光伝送機器の電源を、電源制御部２３ｃ，２４ｂを介してオン状態に制御する（ＳＴ１３）。
【００８５】
光伝送用の映像符号化装置２３及び前段の光伝送装置２４の電源がオン状態に制御されたことにより、前述同様に、ステップＳＴ２〜ＳＴ７が実行され、光伝送を経由した第１映像信号が示すカメラ映像がモニタ出力される。
【００８６】
上述したように本実施形態によれば、監視制御装置４０が定期的にエコー要求を送信し、エコー要求を送信してから所定時間以内にエコー応答を受信したか否かを判定し、エコー応答を受信した場合、光伝送用の映像復号化装置２８から出力された第１映像信号を通過させるように制御する第１制御信号を映像切換器２９に送出し、否の場合、無線伝送用の映像復号化装置３４から出力された低画質映像信号を通過させるように制御する第２制御信号を映像切換器２９に送出する構成により、高画質のカメラ映像を伝送でき、障害時に容易に復旧でき、カメラ映像の監視を継続することができる。
【００８７】
すなわち、光伝送は、災害時のケーブル損傷の影響及び復旧に時間がかかるため、光伝送による映像伝送（高画質のカメラ映像監視）で通常時には運用し、光伝送障害時には、無線伝送による映像伝送（低画質のカメラ映像監視）に切替える構成により、カメラ映像の監視を継続できるようにしている。
【００８８】
また、光伝送方式は、しゃ断状態となり機能しなくなっても、カメラ側では各装置の電源がオン状態のままであり、無駄な電力を消費している。このため、光伝送障害時には、光伝送関連機器の電源を落として省電力化を図るようにしてもよい。この場合、光ケーブル障害時には、光伝送関連機器の電源を落として、電力消費量を抑えることができる。また、光ケーブル復旧時には、光伝送関連機器の電源を立ち上げてもよく、この場合、光伝送による映像監視を復旧させることができる。
【００８９】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９０】
２１…カメラ装置、２２…映像分配器、２３…光伝送用の映像符号化装置、２３ａ…符号化処理部、２３ｂ，４１…インターフェース部、２３ｃ，２４ｂ，４４…電源制御部、２４…前段の光伝送装置、２４ａ…光伝送処理部、２５…光ファイバケーブル、２６…後段の光伝送装置、２７…ＬＡＮスイッチ、２８…光伝送用の映像復号化装置、２９…映像切換器、３０…モニタ装置、３１…無線伝送用の映像符号化装置、３２…前段の無線伝送装置、３３…後段の無線伝送装置、３４…無線伝送用の映像復号化装置、３５…電源制御装置、４０…監視制御装置、４２…ピング処理部、４３…映像切換制御部、４５…入出力部。
【図１】
2013225810.tif 000003
【図２】
2013225810.tif 000004
【図３】
2013225810.tif 000005
【図４】
2013225810.tif 000006
【図５】
2013225810.tif 000007
【図６】
2013225810.tif 000008
【図７】
2013225810.tif 000009
【図８】
2013225810.tif 000010
【図９】
2013225810.tif 000011
【図１０】
2013225810.tif 000012